(57)【要約】      （修正有）【課題】充填層に構成される文字または図案を色彩の補い合いまたは明暗によって原色層との明らかな対比を生じさせたゴルフクラブヘッドを提供する。【解決手段】本体を有するゴルフクラブヘッドにおいて、本体は本体層、原色層と充填層からなる。本体層は本体の主な構造層を構成し、原色層は本体層の外を被覆するとともに、原色層の外表面に装飾凹欠部が設けられ、装飾凹欠部の形状はいかなる文字または図案の輪郭形状からなることができ、充填層は原色層の装飾凹欠部の中に設置され、充填層の形状は装飾凹欠部の形状とは同じであり、そして充填層と原色層とは異なる色からなるように構成されている。【選択図】図１
0003148964.tif 000002
【実用新案登録請求の範囲】
【請求項１】
本体（１）を有するゴルフクラブヘッドにおいて、本体（１）の正面にフェース（１１）が形成され、フェース（１１）の隣側にホーゼル（１２）が形成され、本体（１）は本体層（１３）、原色層（１４）と充填層（１５）からなり、主体層（１３）は本体（１）の主な構造層を構成し、原色層（１４）は本体層（１３）の外を被覆するとともに、原色層（１４）に装飾凹欠部（１４１）が設けられ、充填層（１５）は原色層（１４）の装飾凹欠部（１４１）の中に設置され、充填層（１５）と原色層（１４）とは異なる色からなることを特徴とするゴルフクラブヘッド。
【請求項２】
本体層（１３）と原色層（１４）との間には基底層（１７）が設けられることを特徴とする請求項１記載のゴルフクラブヘッド。
【請求項３】
装飾凹欠部（１４１）は原色層（１４）を貫穿するように形成されることを特徴とする請求項１または２記載のゴルフクラブヘッド。
【請求項４】
原色層（１４）と充填層（１５）の外には保護層（１６）が設けられることを特徴とする請求項３記載のゴルフクラブヘッド。
【請求項５】
装飾凹欠部（１４１）は原色層（１４）と基底層（１７）を貫穿するように形成されることを特徴とする請求項２記載のゴルフクラブヘッド。
【請求項６】
原色層（１４）と充填層（１５）の外には保護層（１６）が設けられることを特徴とする請求項１、２または５記載のゴルフクラブヘッド。
【請求項７】
装飾凹欠部（１４１）の形状は文字または図案の輪郭形状からなることを特徴とする請求項１または２記載のゴルフクラブヘッド。
【請求項８】
充填層（１５）の形状は装飾凹欠部（１４１）の形状と同じであることを特徴とする請求項１または２記載のゴルフクラブヘッド。
【考案の詳細な説明】
【技術分野】
【０００１】
本考案は、ゴルフクラブヘッドに関するもので、特にヘッドの表面において多様性のある色彩対比を有する文字または図案を現すことができるゴルフクラブヘッドに係るものである。
【背景技術】
【０００２】
ゴルフクラブヘッドの製造工程としては、概略、精密鋳造の製造工程と表面加工の製造工程に区分されている。精密鋳造の製造工程においてはワックス射出、コーティング、脱蝋、鋳造、切断および熱処理などの製造工程を経てヘッドの粗材を製造するものである。そして、表面加工の製造工程においては彫刻、研磨、洗浄、組み立てと仕上げ研磨などの製造工程を経てヘッドの完成品を形成するものである。
【０００３】
従来のゴルフクラブヘッドの表面の文字または図案（例えば、商標文字、図案または型番）は、金属材質のヘッドの表面に鋳造、プレスまたは彫刻を利用して上記文字または図案の凹みを製造し、それから再び表面のコーティング層を利用して上記文字または図案を明らかにする。しかし、従来の構造では、精緻な図案を形成することができず、鋳造により製作される文字または図案の凹みには小さな粒子が生じ易いため、他に彫刻を行って上記小さな粒子を取り除かなければならない。また、フォトマスクエッチング法を利用してヘッドの表面に文字または図案を製作する場合、通常、フォトレジスト塗布、フォトマスク露光、化学エッチングと表面洗浄などの製造工程を経て文字または図案をエッチングするものである。しかし、このようなフォトマスクエッチング法ではヘッドを酸性液に浸してエッチングするため、ヘッドの各点におけるエッチングを受ける応力が不均一になり、さらにエッチングの深さを制御し難いため、製作された模様の細かさと品質の均一性を予期通りに獲得することができない。
【０００４】
また、前述した鋳造、プレス、彫刻またはフォトマスクエッチング法を利用してヘッドに文字または図案を製作した後、ヘッドの表面にコーティング層を塗布してから、再び研磨を経て上記文字または図案の中の色彩のコーティング層だけを残すことができる。或いは、先に文字または図案の模様の中に保護膠を充填し、そしてコーティング層を塗布してから上記保護膠を除去することができるようにしたものがある。
【０００５】
その他に、従来のゴルフクラブヘッドとして、中華民国公開番号第２００８１５０６７号「異なる光沢を同時に現すゴルフクラブヘッドの製造方法」においては、先ずヘッドの表面において文字または図案の凹欠ユニットの中に遮断物質を充填し、それから再びヘッドに対してサンドブラストの製造工程を行うものである。この凹欠ユニットは遮断物質により遮断されることにより、上記サンドブラストの製造工程ではヘッドの凹欠ユニットでないエリアに対してしか効果を生じさせることができないため、上記凹欠ユニットの中の遮断物質を除去した後、上記凹欠ユニットはその他のエリアとは異なる光沢を有することができるようにしている（例えば、特許文献１を参照）。
【特許文献１】中華民国公開番号第２００８１５０６７号
【考案の開示】
【考案が解決しようとする課題】
【０００６】
上述した従来のゴルフクラブヘッドにあっては、一般的に、次のような問題点を有している。例えば、従来のゴルフクラブヘッドでは精緻な図案を現すことができず、さらにヘッドの表面には単一な色彩を現すことができないため、加工の精細度が低くなるとともに、品質の均一性が悪くなるという問題点を有する。また、前述した技術では金属材質のゴルフクラブヘッドしか適用せず、さらに破壊性の加工を行っているため、その加工の過程においてはヘッドの原材料の特性（例えば構造の強度と弾発係数）に影響を及ぼしてしまい、さらにゴルフクラブヘッド全体の品質と精度に影響を及ぼしてしまうという問題点を有する。
【０００７】
また、上述した従来のゴルフクラブヘッドにおいて、例えば上記のようなサンドブラストの製造工程ではフェースのスコアラインに運用されるものであって、比較的複雑かつ精緻な模様には適用しないものである。さらに、上述した従来のゴルフクラブヘッドは異なる光沢を有するが、多様性な色彩による対比の変化を現すことができないため、サンドブラストの製造工程の後にコーティング層を塗布しても、依然として単一な色彩による光沢の変化しか有しないという問題点を有する。このように、上記のような従来のゴルフクラブヘッドをさらに改良しなければならない。
【０００８】
本考案はこのような問題点に鑑みて考案したものであって、その第一な目的とするところは、ヘッドの表面において精緻かつ複雑な文字または図案を形成することにより、製品に高品質な設計を与えることができるゴルフクラブヘッドを提供しようとするものである。
【０００９】
本考案の第二な目的とするところは、多様性な色彩による対比の変化を有するとともに、単一製品の製作に適用することにより、オーダーメードの需要性に符合することができるゴルフクラブヘッドを提供しようとするものである。
【００１０】
本考案の第三な目的とするところは、非破壊性の加工であり、ヘッドそのものに傷付けることがないため、ヘッドの品質と精度に影響を及ぼしてしまうのを避けることができるゴルフクラブヘッドを提供しようとするものである。
【課題を解決するための手段】
【００１１】
上記目的を達成するために、本考案によるゴルフクラブヘッドは、下記のようになるものである。すなわち、
本体を有するゴルフクラブヘッドにおいて、本体の正面にはフェースが形成され、フェースの隣側にはホーゼルが形成される。本体は本体層、原色層と充填層からなり、主体層は本体の主な構造層を構成し、原色層は本体層の外を被覆するとともに、原色層に装飾凹欠部が設けられ、充填層は原色層の装飾凹欠部の中に設置され、充填層と原色層とは異なる色からなる。
【００１２】
また、本考案によるゴルフクラブヘッドは、本体層と原色層との間には基底層が設けられることもできる。また、装飾凹欠部は原色層を貫穿するように形成されることもできる。また、原色層と充填層の外には保護層が設けられることもできる。また、装飾凹欠部は原色層と基底層を貫穿するように形成されることもできる。また、原色層と充填層の外には保護層が設けられることもできる。また、装飾凹欠部の形状は文字または図案の輪郭形状からなることもできる。また、充填層の形状は装飾凹欠部の形状とは同じであることもできる。
【考案の効果】
【００１３】
本考案のゴルフクラブヘッドによれば、レーザー彫刻の方式を利用して原色層の装飾凹欠部を製作することができるため、コンピューターを利用して予め大面積または精緻かつ複雑な図案を設計してヘッドの表面に彫刻することができ、製品に高品質な設計を与えることができるという利点がある。
【００１４】
本考案のゴルフクラブヘッドによれば、充填層と原色層は異なる色彩からなるため、色彩による明暗の対比または色彩の補い合いを利用して上記充填層に構成される文字または図案の輪郭は上記原色層とは明らかな対比を生じることができる。また、上記原色層の装飾凹欠部はレーザー彫刻を利用し、そしてコンピューターを利用して予め設計することにより、製造工程または型を変える必要がないため、単一製品の製作に適用し、そしてオーダーメードの需要性に符合することができるという利点がある。
【００１５】
本考案のゴルフクラブヘッドによれば、非破壊性の加工であり、ヘッドそのものに傷付けることがないため、ヘッドの品質と精度に影響を及ぼしてしまうのを避けることができるという利点がある。
【考案を実施するための最良の形態】
【００１６】
本考案の実施の形態について、以下、図面を参照して説明する。
【実施例１】
【００１７】
図１は本考案の実施例１のゴルフクラブヘッドによる外観図であり、図２は本考案の実施例１のゴルフクラブヘッドによる局部の断面図である。図１を参照すると、本考案の実施形態のゴルフクラブヘッドには本体１が含まれる。本体１の正面にはフェース１１が形成され、フェース１１の隣側にはホーゼル１２が形成される。フェース１１はゴルフボールを打球するのに用いられ、ホーゼル１２はシャフトと結合するのに用いられ、使用者が上記シャフトを用いて上記ゴルフボールを打球することができる。
【００１８】
再び図１、２を参照すると、本考案の実施例１におけるゴルフクラブヘッドの本体１は本体層１３、原色層１４、充填層１５および保護層１６からなる。
【００１９】
本体層１３はゴルフクラブヘッドの本体１の形状の主な構造層を構成する。
【００２０】
原色層１４は本体層１３の外を被覆するとともに、原色層１４は好ましくは塗料からなり、そして電気泳動、電気メッキ、塗装または塗布などの方式を利用して本体層１３の外に附着する。原色層１４には装飾凹欠部１４１が設けられ、装飾凹欠部１４１の個数は一個または複数個からなることができ、そして装飾凹欠部１４１は好ましくは原色層１４を貫穿するように形成され、さらに装飾凹欠部１４１の形状はいかなる文字または図案の輪郭の形状からなることができる。また、本考案においてはレーザー彫刻の方式を選んで原色層１４に装飾凹欠部１４１の形状を彫刻することができ、レーザー彫刻の利点は彫刻のスピードが速く、かつ曲率の大きい表面で彫刻を行うことができ、さらにコンピューターを利用して予め大面積または精緻かつ複雑な図案を設計することができる。
【００２１】
充填層１５は原色層１４の装飾凹欠部１４１の中に設置されるとともに、充填層１５の形状は装飾凹欠部１４１の形状とは同じであり、充填層１５も好ましくは塗料からなり、そして人工的による塗布の方式を採用して装飾凹欠部１４１の中の本体層１３の表面に附着させることができ，さらに充填層１５は原色層１４とは好ましくは異なる色彩からなり、例えば明暗の対比または補い合いの色彩を選択することにより、充填層１５に構成される文字または図案の輪郭は原色層１４とは明らかな対比を生じることができる。また、充填層１５も人工的による塗布の手法を利用して色彩の組合せを配合することにより、勾配色の色彩の変化を現すことができる。或いは、充填層１５と原色層１４を不同な高さに形成させることにより、色合いの差異の他に、段階的な視覚の効果を生じさせることができるため、ゴルフクラブヘッドの本体１の表面における高品質な文字または図案を明らかに表現することができる。
【００２２】
保護層１６は原色層１４と充填層１５の外を被覆するとともに、保護層１６は透明な材質からなるため、充填層１５に構成される文字または図案の輪郭は保護層１６を通して現すことができると同時に、充填層１５に構成される文字または図案の輪郭が傷付けられるのを避けることができる。
【実施例２】
【００２３】
図３は本考案の実施例２のゴルフクラブヘッドによる局部の断面図である。図３を参照し、実施例１と比較してみると、実施例２においては本体層１３と原色層１４との間には基底層１７が増設される。
【００２４】
基底層１７は本体層１３の外を被覆する。原色層１４は電気泳動、電気メッキ、塗装または塗布などの方式を利用して基底層１７の外に附着するとともに、基底層１７により原色層１４の塗装の密着度を増やすことができる。さらに、レーザー彫刻の方式を利用して原色層１４において装飾凹欠部１４１の形状を彫刻した時、装飾凹欠部１４１は選択的に原色層１４だけを貫穿するもので、或いは選択的に原色層１４と基底層１７を同時に貫穿することができるため、充填層１５と原色層１４とはより大きい程度の段差を有するように形成される。
【産業上の利用可能性】
【００２５】
上述の如く、本考案のゴルフクラブヘッドによれば、ヘッド１の表面において精緻な文字または図案を現すことができ、そして充填層１５に構成される文字または図案の輪郭は原色層１４とは明らかな色彩の対比を生じることができ、さらに本考案においてはゴルフクラブヘッドの本体１は金属の材質であると限定する必要がなく、各種の材質のゴルフクラブヘッドに適用することができる。
【００２６】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２７】
【図１】本考案の実施例１のゴルフクラブヘッドによる外観図である。
【図２】本考案の実施例１のゴルフクラブヘッドによる局部の断面図である。
【図３】本考案の実施例２のゴルフクラブヘッドによる局部の断面図である。
【符号の説明】
【００２８】
１    本体                              １１    フェース
１２    ホーゼル                          １３    本体層
１４    原色層                          １４１    装飾凹欠部
１５    充填層                            １６    保護層
１７    基底層
【図１】
0003148964.tif 000003
【図２】
0003148964.tif 000004
【図３】
0003148964.tif 000005